【事件の表示】
　商願２０１５−１２６５６拒絶査定不服審判事件について、次のとおり審決する。
【結　論】
　本件審判の請求は、成り立たない。
【理　由】
１　本願商標
　本願商標は、「コーラルピンク」の片仮名を標準文字で表してなり、第３類及び第５類に属する願書に記載のとおりの商品を指定商品として、平成２７年２月１２日に登録出願、その後、指定商品については、当審における同２８年２月２日付けの手続補正書により、第３類「家庭用帯電防止剤，家庭用脱脂剤，さび除去剤，染み抜きベンジン，洗濯用柔軟剤，洗濯用漂白剤，口臭用消臭剤，動物用防臭剤，つや出し剤，香料，芳香剤（身体用のものを除く。），消臭芳香剤（身体用のものを除く。），その他の薫料」及び第５類「芳香消臭剤（身体用・動物用及び工業用の芳香消臭剤並びに口臭用消臭剤を除く。），その他の消臭剤（身体用・動物用及び工業用の消臭剤並びに口臭用消臭剤を除く。），防臭剤（身体用・動物用及び工業用のものを除く。），脱臭剤（工業用のものを除く。），その他の薬剤，医療用試験紙，医療用油紙，衛生マスク，オブラート，ガーゼ，カプセル，眼帯，耳帯，生理帯，生理用タンポン，生理用ナプキン，生理用パンティ，おりものシート，脱脂綿，ばんそうこう，包帯，包帯液，胸当てパッド，歯科用材料，おむつ，おむつカバー，はえ取り紙，防虫紙，サプリメント」となったものである。
　
２　当審において通知した拒絶の理由
　審判長は、請求人に対し、平成２８年６月７日付け拒絶理由通知書で、要旨次の拒絶の理由を通知した。
（１）本願商標について
　本願商標は、「コーラルピンク」の片仮名を標準文字で表してなるものであるから、その構成態様は普通に用いられる方法で表してなるものある。
（２）「コーラルピンク」について
　ア　「コーラルピンク」の文字は、以下のとおり、色彩を表示するものとして一般に使用されているものである。
（ア）「広辞苑第六版（岩波書店発行）」の「コーラル【ｃｏｒａｌ】」の項において、「珊瑚さんご。『−ピンク』」との記載がある。
（イ）「カラーセラピー．ｃｏｍ」のウェブサイトにおいて、「コーラルピンク（珊瑚色）」の見出しの下、「■コーラルピンク色の心理効果」の項目に「コーラルピンクには、愛情や安心感を得られる心理効果がありますので、心の癒しが必要な時にファッションや小物、インテリアに取り入れると効果的です。」との記載がある。
（http://www.aftschool.com/irojitenn/%E3%82%B3%E3%83%BC%E3%83%A9%E3%83%AB%E3%83%94%E3%83%B3%E3%82%AF%EF%BC%88%E7%8F%8A%E7%91%9A%E8%89%B2%EF%BC%89/）
（ウ）「ＣＯＬＯＲ　Ｌａｂ」のウェブサイトに、「Ｃｏｌｏｒ　Ｄｉｃｔｉｏｎａｒｙ」の見出しの下、「ＰＩＮＫ」の項目に「コーラルピンク」があり、矩形内に表されたコーラルピンクの色とともに、「珊瑚のようなピンク。古くは桃色ではなく赤色を表した色。近代では、珊瑚を連想させる色の一般的な形容として、ピンク色から赤みのオレンジ色までの系統の色を表す。」との記載がある。
（http://www.color-lab.jp/color_dic/pink.html）
（エ）「東京カラーズ株式会社」のウェブサイトに、「コーラルピンク」の見出しの下、矩形内に表されたコーラルピンクの色とともに、「【Ｃｏｒａｌ　Ｐｉｎｋ】桃色珊瑚をイメージさせるようなピンクのことを、コーラルピンクといいます。１９世紀（１８００年代）の末頃から存在していた色名です。」との記載がある。
（http://www.tokyo-colors.com/dictionary/%E3%82%B3%E3%83%BC%E3%83%A9%E3%83%AB%E3%83%94%E3%83%B3%E3%82%AF/）
　イ　「コーラルピンク」の色は、原審で提出された平成２７年４月３０日付け刊行物等提出書において示された商品「化粧品」関係以外にも、以下のとおり、多種多様な商品に使用されている実情がある。
（ア）「ＫＤＭ　文具・文房具のｏｎｌｉｎｅ　ｓｔｏｒｅ」のショッピングサイトにおいて、「ロルバーン　ポケット付きメモ（Ｌ）【コーラルピンク】」の商品の紹介で、表紙が「コーラルピンク」の色をしたメモ帳が掲載されている。 
（http://www.kdm.bz/p64846.html）
（イ）「ヨドバシカメラ」のショッピングサイトにおいて、「ハクバ　ＨＡＫＵＢＡ　ＤＣＳ０１−ＭＮＣＰＫ　［ピクスギア　カメラジャケット　Ｍｉｃｒｏ−Ｎ　コーラルピンク］」の商品の紹介で、「コーラルピンク」の色をしたカメラケースが掲載されている。
（http://www.yodobashi.com/%E3%83%8F%E3%82%AF%E3%83%90-HAKUBA-DCS01-MNCPK-%E3%83%94%E3%82%AF%E3%82%B9%E3%82%AE%E3%82%A2-%E3%82%AB%E3%83%A1%E3%83%A9%E3%82%B8%E3%83%A3%E3%82%B1%E3%83%83%E3%83%88-Micro-N-%E3%82%B3%E3%83%BC%E3%83%A9%E3%83%AB%E3%83%94%E3%83%B3%E3%82%AF/pd/100000001001384524/）
（ウ）「Ｓａｍａｎｔｈａ　Ｔｈａｖａｓａ　Ｇｒｏｕｐ　Ｏｆｆｉｃｉａｌ　Ｏｎｌｉｎｅ　Ｓｈｏｐ」のショッピングサイトにおいて、「サマンサタバサ レディアゼル 小（コーラルピンク）」の商品の紹介で、「コーラルピンク」の色をしたハンドバッグが掲載されている。
（http://samantha.locondo.jp/shop/commodity/SSTJ0224D/SA1720AW16116）
（エ）「ＩＴｍｅｄｉａ　ＬｉｆｅＳｔｙｌｅ」のウェブサイトに、「『アドバンストフィルター』搭載、スマホ転送スリムモデル『ＦｉｎｅＰｉｘ　Ｚ１１００ＥＸＲ』」の見出しの下、「コーラルピンク」の色をしたコンパクトデジタルカメラが掲載されているとともに、「富士フイルムは７月２５日、コンパクトデジタルカメラ『ＦｉｎｅＰｉｘ　Ｚ１１００ＥＸＲ』を８月１１日より販売開始すると発表した。・・・カラーはコーラルピンク、カーキ、ピンク、ホワイトの４色が用意される。」との記載がある。（http://camera.itmedia.co.jp/dc/articles/1207/25/news083.html）
（オ）「ＨＩＴＡＣＨＩ」のウェブサイトにおいて、「ナノイオンドライヤー（ＨＤ−Ｎ７７２０）」の見出しの下、「コーラルピンク」の色をしたヘアドライヤーが掲載されているとともに、「色」の欄に「コーラルピンク（Ｐ）」との記載がある。
（http://kadenfan.hitachi.co.jp/lineup/category.php/06/060203/2/）
（カ）「アジアン雑貨通販　ＦＩＯＬＡ」のショッピングサイトにおいて、「バナナリーフ さらさらグラデーションストール〈コーラルピンク〉」の見出しの下、「コーラルピンク」の色をしたストールが掲載されているとともに、「カラーは可憐で甘過ぎないコーラルピンク。反射する光が顔色を明るく華やかに見せてくれます。」との記載がある。
（http://www.fiola.jp/SHOP/LV202010217.html）
（キ）「Ａｍａｚｏｎ」のショッピングサイトにおいて、「デルフィーノ　スヌーピー　ＰＵペンケース　ＳＮＯＯＰＹ＆ＯＬＡＦ　コーラルピンク　Ｐ−１１４９７」の商品の紹介で、「コーラルピンク」の色をしたペンケースが掲載されている。
（http://www.amazon.co.jp/%E3%83%87%E3%83%AB%E3%83%95%E3%82%A3%E3%83%BC%E3%83%8E-PU%E3%83%9A%E3%83%B3%E3%82%B1%E3%83%BC%E3%82%B9-SNOOPY-%E3%82%B3%E3%83%BC%E3%83%A9%E3%83%AB%E3%83%94%E3%83%B3%E3%82%AF-P-11497/dp/B00A666TFS）
（ク）「昭和４１年創業　家具の専門店モモダ家具」のウェブサイト内の通販ページにおいて、「防炎１級遮光カーテン　マイン　コーラルピンク」の商品の紹介で、「コーラルピンク」の色をしたカーテンが掲載されている。
（http://www.momoda.co.jp/curtain/54/mine_coralpink.html）
（ケ）「カメラのキタムラ　スタジオマリオ　ネットショップ」のショッピングサイトにおいて、「タニタ体組成計　Ｆｉｔ　Ｓｃａｎ　ＦＳ−１０２−ＰＫ　コーラルピンク」の商品の紹介で、「コーラルピンク」の色をした体重計が掲載されている。
（http://shop.kitamura.jp/%E3%82%BF%E3%83%8B%E3%82%BF+%E4%BD%93%E7%B5%84%E6%88%90%E8%A8%88+Fit+Scan+FS-102-PK+%E3%82%B3%E3%83%BC%E3%83%A9%E3%83%AB%E3%83%94%E3%83%B3%E3%82%AF/pd/4904785815223/）
（コ）「ビックカメラ．ＣＯＭ」のショッピングサイトにおいて、「アーチサポートアンクルソックス（コーラルピンク／Ｍサイズ）　３Ｆ６５１００【ユニセックス】」の商品の紹介で、「コーラルピンク」の色をした靴下が掲載されている。
（http://www.biccamera.com/bc/disp/CSfGoodsPage_001.jsp?GOODS_NO=3283552）
（サ）「アイリスオーヤマ公式通販サイト　アイリスプラザ」のショッピングサイトにおいて、「象印（ＺＯＪＩＲＵＳＨＩ）ステンレスマグ（０．６Ｌ）　ＳＭ−ＳＣ６０　ターコイズブルー・コーラルピンク・スレートグレー【プラザセレクト】」の商品の紹介で、「コーラルピンク」の色をした水筒が掲載されており、その水筒の写真の下部及び「商品仕様」の項目の「●カラー」に「コーラルピンク」との記載がある。
（http://www.irisplaza.co.jp/Index.asp?KB=SHOSAISID=7055672F）
（シ）「楽天市場」のウェブサイト内の「３２６ＳＴＯＲＥ楽天市場店」のページにおいて、「クラリーノ　高級手縫い　ランドセル　コーラルピンク　日本製　ＲＡ１０５０９０６−３１０」の商品の紹介で、「コーラルピンク」の色をしたランドセルが掲載されており、「商品詳細」の欄の「品番・色」の項目に「ＲＡ１０５０９０６−３１０・コーラルピンク」及び「商品説明」の項目の「【カラー】コーラルピンク」との記載がある。
（http://item.rakuten.co.jp/326store/10003783/）
（ス）「ベクトル公式通販サイト　ブランド古着通販ベクトルパーク」のショッピングサイトにおいて、「ルゥデルゥ　Ｒｅｗ　ｄｅ　Ｒｅｗ　カーディガン　ニット　長袖　レース　パールボタン　コーラルピンク　ベージュ　サイズＭ　【中古】」の商品の紹介で、「コーラルピンク」の色をしたカーディガン（一部にベージュ色の装飾を含む。）が掲載されており、「色」の項目に「コーラルピンク×ベージュ」との記載がある。
（http://vector-park.jp/item/111-201604084609/）
（セ）「西武・そごうのｅ．デパート」のショッピングサイトにおいて、「パンプス　ＬＥ５５７７（コーラルピンク）」の商品の紹介で、「コーラルピンク」の色をしたパンプスが掲載されており、「商品詳細情報」の見出しの下、「カラー」の項目に「コーラルピンク」との記載がある。
（http://edepart.omni7.jp/detail/00100510499692024133）
（ソ）「ｄｕ　ｂｏｎ　ｔｅｍｐｓ」のショッピングサイトにおいて、「【メール便ＯＫ】キルティング　クッションカバー　コーラルピンク　４５×４５ｃｍ」の商品の紹介で、「Ｃｏｒａｌ　Ｐｉｎｋ　コーラルピンク」の文字の下に「コーラルピンク」の色のカバーが掛けられたクッションが掲載されており、「■カラー」の項目に「コーラルピンク」との記載がある。
（http://dubontemps.net/SHOP/130715-2.html）
（タ）「ＹＡＨＯＯ！ＪＡＰＡＮ　ショッピング」のショッピングサイト内の「サイクルショップ　ＮＥＸＴ−Ｒ」のページにおいて、「２０１６　パナソニック　ビビスタイル」の商品の紹介で、「コーラルピンク」の色をしたフレームの自転車が掲載されており、当該自転車画像の下部及び「フレームカラー」の項目に「Ｍコーラルピンク」との記載がある。
（http://store.shopping.yahoo.co.jp/cs-nextr/be-elds63.html）
　ウ　「コーラルピンク」の色は、以下のとおり、本願の指定商品中の「生理用パンティ」及び「おむつカバー」にも使用されている。
（ア）「Ａｍａｚｏｎ」のショッピングサイトにおいて、「ソフィ スタイリッシュフィット　Ｍ　コーラルピンク」の商品の紹介で、商品の包装上に「コーラルピンク」の色をした「サニタリーショーツ」（生理用パンティ）を着用した写真が掲載されており、「製品の特徴」の項目に「カラー:コーラルピンク」との記載がある。
（http://www.amazon.co.jp/%E3%82%BD%E3%83%95%E3%82%A3-%E3%82%B9%E3%82%BF%E3%82%A4%E3%83%AA%E3%83%83%E3%82%B7%E3%83%A5%E3%83%95%E3%82%A3%E3%83%83%E3%83%88-M-%E3%82%B3%E3%83%BC%E3%83%A9%E3%83%AB%E3%83%94%E3%83%B3%E3%82%AF/dp/B000FP3T9Y）
（イ）「カタログ通販セシール（ｃｅｃｉｌｅ）」のショッピングサイトにおいて、「サニタリーショーツ」の見出しの下、「コーラルピンク」の色をした「サニタリーショーツ（白色の水玉模様を有する。）」（生理用パンティ）が掲載されており、その左下に「コーラルピンク」との記載がある。
（http://www.cecile.co.jp/detail/EN-241/）
（ウ）「Ｏｍｕｔｓｕ　＆　Ｐａｎｔｓ」のウェブサイトにおいて、「生地一覧」の見出しの下、「ＣＡ５８」の項目に「■生地ＮＯ：ＣＡ５８　【綿１００％】線描きフラワー（コーラルピンク）」との記載がある。
（http://www.omupan.com/kiji_flower.html）
（３）本願の指定商品の分野における色彩に関する取引の実情について 
　本願の指定商品の分野においては、以下のとおり、商品及び商品の包装（容器）に複数の色彩が使用されている実情がある。
　ア　「バディ　バディ」のウェブサイトにおいて、「コリップ・カラー包帯２．５ｃｍ幅」の見出しの下、「全１０色：　白、ピンク、赤、オレンジ、ベージュ、黒、紺、青、水色、緑」との記載があり、各色の包帯の写真が掲載されている。
（http://www.buddy-buddy.jp/SHOP/8013H_CR_25x45.html）
　イ　「小林カプセル」のウェブサイトにおいて、「製品紹介」の見出しの下、「ＮＡＴＵＲＡＬ　ＣＯＬＯＲ　ＣＡＰＳＵＬＥ」の項目に「カラーは８色：　ストロベリーピンク、クリアストロベリー、ミントブルー、クリアミント、モカブラウン、クリアモカ、オリーヴグリーン、クリアオリーヴ」との記載があり、各色のカプセルの写真が掲載されている。
（http://capsulae.jp/data/prod.html）
　ウ　「Ｋｏｗａ」のウェブサイトにおいて、「三次元マスク　レインボーシリーズ」の見出しの下、「選べる７色揃いました。」との記載があり、「ラインナップ」の項目に各色のマスクが表された商品の包装箱が掲載され、それぞれ「ベビーピンク」、「ピュアオレンジ」、「ソフトアイボリー」、「レモンイエロー」、「ライトグリーン」「スカイブルー」及び「クールパープル」と色彩を表す表示が記載されている。
（http://hc.kowa.co.jp/3jigen/#productrainbow）
　エ　「共立薬品工業株式会社」のウェブサイトにおいて、「キズリバテープカラータイプ　３−２０（Ｃ）」の見出しの下、商品の包装と思しき絵図上に赤字で「キズバリテープ」の文字が記載され、赤、黄、緑の三色の絆創膏の絵図が描かれており、「詳細説明」の項目に「２．）　ピンク・イエロー・グリーンの３色入。」との記載がある。
（http://www.kyoritsu-ph.com/cgi-bin/kyoritsu-ph/siteup.cgi?category=2page=0view=detail=onno=26）
　オ　「楽天市場」のウェブサイト内の「布おむつ　おむつカバーのお店『ＤｒｅａｍＮａｐｐｉｅｓ』」のページにおいて、４色のおむつカバーが紹介され、それぞれの写真の右下に「ベリー」、「テラコッタ」、「レイクブルー」及び「アボカド」と記載され、また、商品を選択するための一覧表の列には「Ｌａｋｅ　Ｂｌｕｅ」、「Ｂｅｒｒｙ（パープル）」、「Ａｖｏｃａｄｏ（グリーン）」及び「Ｔｅｒａ　Ｃｏｔｔａ（くすんだオレンジ）」と色の違いにより商品の区分けがされている。
（http://item.rakuten.co.jp/dreamnappies/lovylightweight-terracotta/）
　カ　「ＵＹＥＫＩ」のウェブサイトにおいて、「芳香・消臭・除菌剤」の見出しの下、「消臭カラーパレット」の紹介で、「特長」の項目に「選べるカラーは『グリーン』『ブルー』『ピンク』『パープル』『イエロー』『クリア』の６色。」との記載があり、「商品のラインナップ」の項目に、それぞれの色の商品の包装が掲載されている。
（http://www.uyeki.co.jp/products/houkou_shoushu_jokin/post_100.html）
　キ　「アース製薬」のウェブサイトにおいて、「消臭アロマパレット」の見出しの下、「バリエーション」の項目に、異なる色の商品の包装が掲載されており、それぞれの包装の下に「ＦＡＩＲＹ　ＰＩＮＫ」、「ＢＲＩＬＬＩＡＮＴ　ＯＲＡＮＧＥ」、「ＦＩＮＥ　ＹＥＬＬＯＷ」、「ＳＨＩＮＹ　ＧＲＥＥＮ」、「ＭＩＬＤ　ＢＬＵＥ」、「ＨＥＡＬＩＮＧ　ＰＵＲＰＬＥ」、「ＬＵＸＵＲＹ　ＢＬＡＣＫ」及び「ＮＡＴＵＲＡＬ　ＷＨＩＴＥ」と色を表す語が記載されている。
（http://www.earth-chem.co.jp/top02/airfreshener/aromapalette/aromapalette.html）
（４）小活
　「コーラルピンク」の語は、上記（２）のとおり、特定の色彩を表示するものであり、当該色彩は多種多様な商品の分野において使用されている。そして、その色彩が使用された商品の紹介において、「コーラルピンク」の文字が当該色彩を表すものとして一般に使用されているものである。
　してみると、「コーラルピンク」の文字が商品の包装や商品の宣伝広告等に使用された場合、これに接する看者は、その商品が「コーラルピンク」の色彩であることを認識するにすぎないといえるものである。
　さらに、本願の指定商品の分野においては、上記（３）のとおり、同種の商品に異なる色彩を施すことが一般に行われており、色彩により商品に特徴やバリエーションを持たせている実情がある。
　そうすると、本願商標は、その指定商品に使用しても、これに接する取引者、需要者に、「（商品が）コーラルピンク」であることを把握、理解させるにとどまり、商品の品質、特徴を認識させるにすぎないといわなければならない。
　したがって、本願商標は、商品の品質、特徴を普通に用いてなる方法で表示する標章のみからなる商標といえることから、商標法第３条第１項第３号に該当する。
　
３　当審における拒絶の理由に対する請求人の意見
　前記２の拒絶の理由に対し、請求人は、何ら意見を述べていない。
　
４　当審の判断
　本願商標は、「コーラルピンク」の片仮名を横書きしてなるところ、前記２のとおり、これをその指定商品に使用しても、これに接する取引者、需要者に、その商品の色彩として「（商品が）コーラルピンク」であることを把握、理解させるにとどまり、商品の品質、特徴を認識させるというのが相当である。
　そうすると、本願商標は、商品の品質、特徴を普通に用いてなる方法で表示する標章のみからなる商標といえるものである。
　そして、請求人は、前記２の拒絶の理由に対し、何ら意見を述べていない。
　したがって、本願商標は、商標法第３条第１項第３号に該当し、登録することができない。
　よって、結論のとおり審決する。